【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
洗米タンク（１１）と、
洗米タンク（１１）の下部に給水する下側給水管（１６）を設け、
下側給水管（１６）の上手側を給水管（Ｙ）に接続すると共に、上手側から流量センサ（２１）と電磁弁（２０）を順次配設し、
洗米タンク（１１）より上方位置には、電磁弁（２０）の下手側に上下方向に延びる分岐接続管（１７）を設け、分岐接続管（１７）の下端部からは、洗米タンク（１１）の側面に上下方向に沿わせて下方へ延出する下側給水管（１６）を分岐し、分岐接続管（１７）の上端部からは、分岐接続管（１７）の上端部に隣接して設ける上下移動フロート（１９ａ）式の逆止弁（１９）から上方に延出し、次いで屈曲して下方へ延出し、下端部が洗米タンク（１１）上部に接近する構成とした上側給水管（２２）を分岐する構成としたことを特徴とする洗米機。
【請求項２】
分岐接続管（１７）の下端部から下方に延びる下部給水管（１６）であって洗米タンク（１１）に対向する位置に着脱自在のソケット管（３５）を設けたことを特徴とする請求項１記載の洗米機。
【請求項３】
逆止弁（１９）を分岐接続管（１７）に対して着脱自在に構成したことを特徴とする請求項２記載の洗米機。
【手続補正２】
【補正対象書類名】明細書
【補正対象項目名】全文
【補正方法】変更
【補正の内容】
【発明の詳細な説明】
【発明の名称】洗米機
【技術分野】
【０００１】
この発明は、洗米機に関するものである。
【背景技術】
【０００２】
洗米炊飯装置において、貯米部，洗浄部，炊飯部を上側から下側に順次配設し、給水源に連通可能に設けた上側給水路の排出口を洗浄部の洗浄タンクの上部に連通し、下側給水路の排出口を洗浄タンク下部のジャケットに連通し、洗浄タンクの上側部と下側部から給水可能に構成し、上側給水路の中途部に逆止弁を設けたものは、公知である（特許文献１）。
【先行技術文献】
【特許文献】
【０００３】
【特許文献１】特開２００１−２１８６７６号公報
【発明の概要】
【発明が解決しようとする課題】
【０００４】
前記先行技術の発明は、上側給水路，下側給水路の下手側を洗浄タンクの上部，下部に連通し、上側給水路，下側給水路に上側電磁弁，下側電磁弁をそれぞれ設け、上側給水路の上側電磁弁の上手側に逆止弁を設けた構成である。そして、洗浄タンクの上下双方から水を供給して洗米し、洗米後の水加減では下側電磁弁を閉鎖した状態で上側電磁弁を開作動し水加減を実行する構成である。
【０００５】
本発明は、下側給水管を逆流した水に対応できる構成にすることを課題とする。  
【０００６】
【課題を解決するための手段】
【０００７】
請求項１の発明は、
洗米タンク（１１）と、
洗米タンク（１１）の下部に給水する下側給水管（１６）を設け、
下側給水管（１６）の上手側を給水管（Ｙ）に接続すると共に、上手側から流量センサ（２１）と電磁弁（２０）を順次配設し、
洗米タンク（１１）より上方位置には、電磁弁（２０）の下手側に上下方向に延びる分岐接続管（１７）を設け、分岐接続管（１７）の下端部からは、洗米タンク（１１）の側面に上下方向に沿わせて下方へ延出する下側給水管（１６）を分岐し、分岐接続管（１７）の上端部からは、分岐接続管（１７）の上端部に隣接して設ける上下移動フロート（１９ａ）式の逆止弁（１９）から上方に延出し、次いで屈曲して下方へ延出し、下端部が洗米タンク（１１）上部に接近する構成とした上側給水管（２２）を分岐する構成としたことを特徴とする洗米機とする。
【０００８】
請求項２記載の発明は、
分岐接続管（１７）の下端部から下方に延びる下部給水管（１６）であって洗米タンク（１１）に対向する位置に着脱自在のソケット管（３５）を設けたことを特徴とする請求項１記載の洗米機とする。
【０００９】
請求項３の発明は、
逆止弁（１９）を分岐接続管（１７）に対して着脱自在に構成したことを特徴とする請求項２記載の洗米機とする。
【発明の効果】
【００１０】
本発明により、洗米タンク１１の水が下側給水管１６を逆流しても上下移動フロート１９ａ式の逆止弁１９により上部給水管２２への流入を阻止し易くすることができる。
また、逆止弁１９を分岐接続管１７の上端部よりも上方へ配設しているので、下側給水管１６を逆流した水に逆止弁１９が漬かり難く、洗米水に含まれている糠等による汚れが付着し難い。
【００１１】
また、逆止弁１９のフロート１９ａの姿勢が良好になり、逆止弁１９の作動を良好にすることができる。
また、分岐接続管１７と着脱自在にすることで、フロート１９ａが異物を噛みこんで作動不良を起こす場合でも、異物を取り出しやすくすることができる。
【００１２】
【図面の簡単な説明】
【００１３】
【図１】洗米炊飯装置の斜視図。
【図２】洗米炊飯装置の側面図。
【図３】洗米タンク部の一部省略した側面図。
【図４】洗米タンク部の一部省略した側面図。
【図５】貯米部の斜視図。
【発明を実施するための形態】
【００１４】
以下、図面に示すこの発明の実施例について説明する。
本実施例を備えた洗米炊飯機の全体構成について説明する。
洗米炊飯機１は、内部に計量部を備えている上側の貯米部２と、この貯米部２から所定量の米を受けて洗米および水加減の調節をする洗米部３と、この洗米部３によって水加減された洗米を受ける下側の炊飯機４と、これらを支架する架台５により構成されていて、架台５の引出５ａにより炊飯機４を引き出し自在に支持している。
【００１５】
そして、貯米部２の正面に操作パネル７を備え、操作パネル７にはコントローラに接続されている表示画面と操作用のスイッチを設け、スイッチ操作により貯米部２から指示に応じた分量の米を洗米部３に供給し、次いで洗米部３で洗米した米を水加減し炊飯機４に投下する自動処理がなされる構成である。
【００１６】
貯米部２には白米を貯溜するホッパ５５を備え、ホッパ５５の流下口には横軸回りに回転する供給円筒５６を備え、モータにより供給円筒５６を回転駆動し白米を下方の洗米部３に供給するようにしている。
【００１７】
洗米部３には洗米タンク１１を備え、洗米タンク１１の上部を円筒状に下部を円錐状のホッパに構成し、洗米タンク１１内には鉛直軸１２ａ回りに回転する拡散羽根１２を設け、洗米モータにより回転し洗米するようにしている。洗米タンク１１の下端部には網体により構成している排米通路（図示省略）を設けると共に、洗米タンク１１の下端部には排米通路（図示省略）を開閉する投下弁４０を備え、洗米タンク１１の下端部及び排米通路（図示省略）を着脱自在のジャケット１５で被覆している。
【００１８】
また、給水管Ｙの上手側を給水源Ｋに接続し、中途部に電磁弁（図示省略）を設け、下手側を上下給水管に分岐し洗米タンク１１に接続し、上部及び下部から給水できるように構成している。
【００１９】
洗米タンク１１の側方には空気供給管２８を上下に沿わせて配設し、その下側部を洗米タンク１１下部のジャケット１５に着脱自在に取り付け、上端部を洗米タンク１１の上部のオーバーフロー口２９よりも高い位置に設けている。
【００２０】
また、前記拡散羽根１２の鉛直軸１２ａの中空部に前記投下弁４０の投下軸４０ａを上下動自在に挿通支持し、投下モータ（図示省略）により投下軸４０ａを上下動し洗米タンク１１内の米および水を炊飯機４に投下可能に構成している。
【００２１】
ジャケット１５の側壁に排水口４１を設け、排水口４１を開閉弁４２により開閉可能に構成し、排水管１４から排水するように構成している。
炊飯器４はガスコンロの加熱手段４ａ，炊飯釜４ｂ，炊飯蓋４ｃなどで構成されていて、炊飯蓋４ｃの中央部に開口している円形の米投入孔を開閉するシャッタ４３を備えている。このシャッタ４３はシャッタ正逆モータにより横方向に往復移動するシャッタ開閉アーム４４に関連して移動し米投入孔を開閉するように構成している。
【００２２】
貯米部２の箱型のケース前側面に操作パネル７を設けている。操作パネル７にはマニュアル操作部，炊飯条件設定部，予約設定部を設けている。予約設定部には土曜日から日曜日までを表示するＬＥＤ表示機能付きの曜日設定手段を設け、選択曜日をＬＥＤで点灯表示するようしている。また、現在時刻，累計釜数，予定釜数を表示するＬＥＤ表示機能付きの時刻釜数表示手段を設けている。また、米の補給から炊飯完了，点火のいずれであるかを表示するＬＥＤ表示機能付きの工程表示部を設けている。マニュアル設定部には時計スイッチ、テストスイッチ，計量スイッチ，洗米スイッチなどのスイッチ類を設けている。
【００２３】
次に、洗米炊飯機１の作用の概要について説明する。
作業者による炊飯設定作業が終了し、スタートスイッチがＯＮされると、炊飯設定内容に基づきコントローラ（図示省略）の指令により炊飯作業が開始される。まず、供給モータにより貯米部２の供給円筒５６が設定回転数回転し米が繰り出され、設定回転数に到達すると停止し米供給作業は終了する。次いで、洗米部３の電磁弁（図示省略）が開作動し給水源Ｋから水が給水管Ｙに流れ洗米タンク１１の上下から供給され、撹拌羽根１２が回転し米及び水が撹拌され洗米される。
【００２４】
次いで、所定時間の洗米作業が終了すると、次いで水加減が実行され、投下モータ（図示省略）の回転により投下弁４０が下方へ移動し洗米タンク１１の底部が開口し、米および水が炊飯機４に投下される。次いで、炊飯機４の加熱手段が加熱を開始し炊飯を開始し、所定時間の炊飯時間が終了すると加熱を停止し炊飯作業は終了する。
【００２５】
次に、図３に基づき洗米タンク１１への給水構成について説明する。
下側給水管１６の上手側を給水管Ｙに接続し、下側給水管１６の中途部を洗米タンク１１の側面に上下方向に沿わせて下方へ延出し、下端部を前記ジャケット１５に連通している。下側給水管１６には上手側から下手側に流量センサ２１，電磁弁２０を順次配設している。下側給水管１６における電磁弁２０の下手側から分岐接続管１７を介して上側給水管２２を分岐し、上側給水管２２を洗米タンク１１の上方に導き、次いで屈曲して下方へ延出し洗米タンク１１の上部から給水するようにしている。
【００２６】
そして、分岐接続管１７の下手側に配設しているフロート式の逆止弁１９を配設し、この逆止弁１９を洗米タンク１１の上端部よりも上方へ配設し、下側給水管１６を水が逆流しても逆止弁１９により阻止され上側給水管２２側に逆流しないように構成している。
【００２７】
前記構成によると、洗米タンク１１の水が下側給水管１６を逆流してもフロート式の逆止弁１９により阻止され、上側給水管２２を経由して洗米タンク１１に戻るのを防止することができる。また、逆止弁１９を洗米タンク１１の上端部よりも上方へ配設しているので、下側給水管１６を逆流した水に逆止弁１９が漬かり難く、洗米水に含まれている糠等による汚れを防止することができる。
【００２８】
次に、図４に基づき洗米タンク１１への給水構成の他の実施例について説明する。
下側給水管１６の上手側を給水管Ｙに接続し、中途部を洗米タンク１１の側面に上下方向に沿わせて下方へ延出し、下手側端部を前記ジャケット１５に連通している。下側給水管１６の上手側に逆止弁１９を配設し、下側給水管１６の下手側にソケット管３５を配設し、逆止弁１９にソケット管３５を着脱自在に取り付け接続している。そして、洗米タンク１１の上側部のオーバーフロー口２９の下端部位よりも上方部位Ａに逆止弁１９を配設している。
【００２９】
前記構成によると、洗米タンク１１の水が下側給水管１６を逆流しても逆止弁１９が漬かりにくくなり、逆止弁１９の糠などによる汚れ防止効果を高めることができる。また、ソケット管３５を取り外すことにより逆止弁１９を下側給水管１６に取り付けたままでジャケット１５を取り外す等、メンテナンスを容易にすることができる。
【００３０】
また、逆止弁１９は内部に上下移動するフロート１９ａを設けているが、フロート１９ａが異物を噛みこんだら作動不良を起こす場合がある。この場合、逆止弁１９の近接位置で着脱する構成にすることで、異物を取り出しやすくすることができる。
【００３１】
また、逆止弁１９は洗米タンク１１の上端部に形成するフランジ部５７（又は貯米部２の下壁）の直下に取り付けることで、逆止弁１９のフロート１９ａの姿勢が良好になり、逆止弁１９の作動を良好にすることができる。また、フランジ部５７の直上の下側給水管１６を配策し易くすることができる。
【００３２】
なお、図３の実施例についても逆止弁１９を上下姿勢に安定させることができる。また、分岐接続管１７と着脱自在に構成していることは言うまでもない。
操作パネル３７の下方にはエリアセンサ５１を設けている。エリアセンサ５１は下方の炊飯機４の加熱手段が加熱を開始し熱気が上昇し設定温度を検出すると検出炊飯情報がコントローラに入力され、設定時間が経過するとコントローラの警報指令に基づき例えば音声報知手段により「火傷などに注意するように」との警報が出され、安全性の向上を図っている。
【００３３】
また、操作パネル３７の炊飯条件設定部を所定のスイッチ操作で拡張モードに切り換え、所定のスイッチ操作により警報開始の前記設定時間を長短に設定変更できるようにしている。
【００３４】
次に、図５に基づき貯米部２の他の実施例について説明する。
貯米部２の上部開口部に異物混入防止網５２を張設し、開口部の上面を蓋で閉鎖するようにし、異物混入防止網４１の前側部に透明な窓５３を設け、貯米部２の前側部には開閉扉５４を設けている。前記構成によると、開閉扉５４を開けると窓５３から石などの異物の溜り具合を確認することができ便利である。
【符号の説明】
【００３５】
１    洗米炊飯機
２    貯米部
３    洗米部
４    炊飯部
１１    洗米タンク
１６    下側給水管
１９    逆止弁
２０    電磁弁
２２    上側給水管
２９    オーバーフロー口
３５    ソケット管